(57)【特許請求の範囲】
【請求項１】
冷却チャンバの温度を低下させるように動作可能な熱電冷凍システム内の熱電モジュールを操作する方法であって、
前記冷却チャンバの外部環境の温度を含む１つ以上のシステムパラメータに基づき前記熱電冷凍システムの性能係数を最大にするはずの第一の電力量を決定すること（１００）と、
前記熱電モジュールに前記第一の電力量を供給すること（１０２）と、
前記１つ以上のシステムパラメータのうちの少なくとも１つが変化したことを決定すること（１０４）と、
前記１つ以上のシステムパラメータに基づき前記熱電冷凍システムの性能係数を最大にするはずの第二の電力量を決定すること（１０６）と、
前記熱電モジュールに前記第二の電力量を供給すること（１０８）と、
前記熱電モジュールの高温側温度が第一閾値の上にあると判断することと、
前記１つ以上のシステムパラメータに基づき前記熱電モジュールの前記性能係数を最大にするはずの電力量未満である電力量を前記熱電モジュールに供給することと、
前記熱電モジュールの前記高温側温度が、前記第一閾値よりも低い第二閾値未満であると判断することと、
前記１つ以上のシステムパラメータに基づき前記熱電モジュールの前記性能係数を最大にするはずの電力量である電力量を前記熱電モジュールに供給することと、
を含む、方法。
【請求項２】
前記熱電モジュールに前記第一の電力量を供給することが、前記熱電モジュールに第一の電流量を供給することを含み、前記熱電モジュールに前記第二の電力量を供給することが、前記熱電モジュールに第二の電流量を供給することを含む、
請求項１に記載の方法。
【請求項３】
前記熱電モジュールに前記第一の電力量を供給することが、前記熱電モジュールに第一の電圧量を印加することを含み、前記熱電モジュールに前記第二の電力量を供給することが、前記熱電モジュールに第二の電圧量を印加することを含む、請求項１に記載の方法。
【請求項４】
前記第一の電力量と前記第二の電力量からなる少なくとも１つの群が、
前記冷却チャンバの温度と、
前記熱電モジュールの高温側の温度と、
前記熱電モジュールの電気特性と、
からなる少なくとも１つの群に基づき決定される、
請求項１乃至３のいずれかに記載の方法。
【請求項５】
前記熱電モジュールの電気特性は前記熱電モジュールの性能指数である、
請求項４に記載の方法。
【請求項６】
前記第一の電力量を決定することが、前記冷却チャンバの前記外部環境の前記温度に基づき前記熱電モジュールの前記性能係数を最大にするはずの前記第一の電力量を決定することを含み、
前記１つ以上のシステムパラメータのうちの少なくとも１つが変化したと判断することが、前記冷却チャンバの前記外部環境の前記温度が変化したと判断することを含み、かつ、
前記第二の電力量を決定することが、前記冷却チャンバの前記外部環境の前記温度に基づき前記熱電モジュールの前記性能係数を最大にするはずの前記第二の電力量を決定することを含む、
請求項４または５に記載の方法。
【請求項７】
前記第一の電力量を決定することが、ルックアップ表を用いて前記１つ以上のシステムパラメータに基づき前記熱電モジュールの前記性能係数を最大にするはずの前記第一の電力量を決定することを含み、かつ
前記第二の電力量を決定することが、ルックアップ表を用いて前記１つ以上のシステムパラメータに基づき前記熱電モジュールの前記性能係数を最大にするはずの前記第二の電力量を決定することを含む、
請求項１乃至６のいずれかに記載の方法。
【請求項８】
前記熱電モジュールに前記第一の電力量を供給することが２つ以上の熱電モジュールのサブセットのうちの１つのサブセットに前記第一の電力量を供給することをさらに含み、
前記熱電モジュールに前記第二の電力量を供給することが前記２つ以上の熱電モジュールのサブセットのうちの前記１つのサブセットに前記第二の電力量を供給することをさらに含む、
請求項１乃至７のいずれかに記載の方法。
【請求項９】
熱電冷凍システムであって、
冷却チャンバと、
熱交換器であって、
低温側ヒートシンクと、
高温側ヒートシンクと、
前記低温側ヒートシンクと前記高温側ヒートシンクとの間に配設された熱電モジュールとを、含む熱交換器と、
コントローラであって、
前記冷却チャンバの外部環境の温度を含む１つ以上のシステムパラメータに基づき前記熱電冷凍システムの性能係数を最大にするはずの第一の電力量を決定し、
前記熱電モジュールに前記第一の電力量を供給し、
前記１つ以上のシステムパラメータのうちの少なくとも１つが変化したと判断し、
１つ以上のシステムパラメータに基づいて前記熱電冷凍システムの性能係数を最大にするはずの第二の電力量を決定し、
前記熱電モジュールに前記第二の電力量を供給し、
前記熱電モジュールの高温側温度が第一閾値の上にあると判断し、
前記１つ以上のシステムパラメータに基づき前記熱電モジュールの前記性能係数を最大にするはずの電力量未満である電力量を前記熱電モジュールに供給し、
前記熱電モジュールの前記高温側温度が、前記第一閾値よりも低い第二閾値未満であると判断し、
前記１つ以上のシステムパラメータに基づき前記熱電モジュールの前記性能係数を最大にするはずの電力量である電力量を前記熱電モジュールに供給する、
ように構成された、コントローラと、
を含む、熱電冷凍システム。
【請求項１０】
冷却チャンバの温度を低下させるように動作可能な熱電冷凍システム内の熱電モジュールを操作するコントローラであって、
前記冷却チャンバの外部環境の温度を含む１つ以上のシステムパラメータに基づき前記熱電冷凍システムの性能係数を最大にするはずの第一の電力量を決定し、
前記第一の電力量を前記熱電モジュールに供給し、
前記１つ以上のシステムパラメータのうちの少なくとも１つが変化したと判断し、
前記１つ以上のシステムパラメータに基づき前記熱電冷凍システムの前記性能係数を最大にするはずの第二の電力量を決定し、
前記第二の電力量を前記熱電モジュールに供給し、
前記熱電モジュールの高温側温度が第一閾値の上にあると判断し、
前記１つ以上のシステムパラメータに基づき前記熱電モジュールの前記性能係数を最大にするはずの電力量未満である電力量を前記熱電モジュールに供給し、
前記熱電モジュールの前記高温側温度が、前記第一閾値よりも低い第二閾値未満であると判断し、
前記１つ以上のシステムパラメータに基づき前記熱電モジュールの前記性能係数を最大にするはずの電力量である電力量を前記熱電モジュールに供給する、
ように構成された、コントローラ。
【請求項１１】
請求項１乃至８のうちのいずれかの方法を行うように構成された請求項１０に記載のコントローラ。
【請求項１２】
少なくとも１つのプロセッサ上で実行されたときに、前記少なくとも１つのプロセッサに請求項１乃至８のうちのいずれかによる方法を行わせる指示を含む、コンピュータプログラム。
【請求項１３】
請求項１２に記載のコンピュータプログラムを含むキャリアであって、前記キャリアは、電子信号、光信号、無線信号、またはコンピュータ可読記憶媒体のうちの１つである、
キャリア。
【請求項１４】
冷却チャンバの温度を低下させるように動作可能な熱電冷凍システム内の熱電モジュールを操作するコントローラであって、
前記冷却チャンバの外部環境の温度を含む１つ以上のシステムパラメータに基づき前記熱電冷凍システムの性能係数を最大にするはずの第一の電力量を決定し、かつ、前記１つ以上のシステムパラメータに基づき前記熱電冷凍システムの性能係数を最大にするはずの第二の電力量を決定するように動作可能な電力決定モジュールと、
前記第一の電力量を前記熱電モジュールに供給し、かつ、前記第二の電力量を前記熱電モジュールに供給するように動作可能な電力供給モジュールと、
前記１つ以上のシステムパラメータのうちの少なくとも１つが変化したと判断するように動作可能なシステムパラメータ判断モジュールと、を含み、前記コントローラは、
前記熱電モジュールの高温側温度が第一閾値の上にあると判断し、
前記１つ以上のシステムパラメータに基づき前記熱電モジュールの前記性能係数を最大にするはずの電力量未満である電力量を前記熱電モジュールに供給し、
前記熱電モジュールの前記高温側温度が、前記第一閾値よりも低い第二閾値未満であると判断し、
前記１つ以上のシステムパラメータに基づき前記熱電モジュールの前記性能係数を最大にするはずの電力量である電力量を前記熱電モジュールに供給する、
ように構成されている、コントローラ。
【発明の詳細な説明】
【発明の詳細な説明】
【０００１】
関連出願
本出願は、その開示の全体が本明細書に参照援用される２０１４年７月２１日に出願の米国特許仮出願番号第６２／０２７，０８０号公報、及びその開示の全体が本明細書に参照援用される２０１４年７月２１に出願の米国特許仮出願番号第６２／０２７，０８３号公報の利益を主張するものである。
[発明の分野]
【０００２】
本開示は熱電モジュールの操作に関する。
[背景技術]
【０００３】
今日、多くの冷房装置が蒸気圧縮ベースで、サーモスタットで調節されたデューティ・サイクル制御を利用する。しかし、典型的な蒸気圧縮ベースの冷房装置はプルダウンや回復などの際に、その定常状態及び過度的な要求の両方を満たすほど動的ではない。したがって、蒸気圧縮ベースの冷房装置は、定常状態動作の際に必要な採熱能をはるかに超える過剰な冷却性能を持つ傾向がある。過剰な冷却能によりもたらされる過剰な能力はプルダウン性能の改善をもたらす一方、スタート時に頻発する大きな電流サージにはより大きな能力が必要となり、その結果、負荷を扱うためにより高価なコンポーネントが必要となる。また、大きな電流サージとデューティ・サイクル制御により生じる負荷とによって過剰なコンポーネントが装着され、そのため、早期故障の可能性が生じる。さらに、正にこれらの制御の性質、熱力学限界、及び製品性能の要求によって、蒸気圧縮ベースの冷房装置は最適なものより効率がよくない。
【０００４】
蒸気圧縮ベース冷房装置のこの準最適効率の欠点は、冷却チャンバ内温度の正確な制御に関係する。一般的に、冷却チャンバ内の温度がある値を超える場合は、蒸気圧縮ベース冷房装置は動作を開始し冷却チャンバ内の温度がその値未満になるまで動作し続ける。冷却チャンバがその値未満の温度に到達すると、蒸気圧縮ベース冷房装置は停止する。それでもなお、上記した過剰な装着に加えて、このタイプの制御方式は、エネルギー消費を最小にし、様々な環境条件での動作を可能にする努力において一般的に制御バンドが比較的大きく内部温度成層が比較的大きい。この方式は、絞りまたは容量変化は蒸気圧縮サイクルに実装するのに難しく高価となるので最も頻繁に使用され、また、体積効率が落ちるにつれて有効性が制限される。
【０００５】
従って、冷却チャンバからの採熱に使用されるコンポーネントの効率が最大になる場合、冷却チャンバ内の温度を正確に制御する装置及び方法が必要となる。また、冷却チャンバから採熱するのに使用されるコンポーネントの遮熱限界を緩和する装置及び方法も必要となる。
【発明の概要】
【０００６】
効率を増大させるように熱電モジュールを操作する装置及び方法が開示される。いくつかの実施形態では、熱電モジュールを操作する方法は、１つまたは複数のシステムパラメータに基づき熱電モジュールの性能係数を最大にする第一の電力量を決定することと、該熱電モジュールに第一の電力量を供給することとを含む。また、該方法は、１つまたは複数のシステムパラメータの少なくとも１つが変化したと判断することと、１つまたは複数のシステムパラメータに基づき熱電モジュールの性能係数を最大にする第二の電力量を決定することと、該熱電モジュールに第二の電力量を供給することとも含む。いくつかの実施形態では、１つまたは複数のシステムパラメータに基づき供給される電力量を調節することによって熱電モジュールの効率が増大される。
【０００７】
いくつかの実施形態では、熱電モジュールに第一の電力量を供給することは熱電モジュールに第一の電流量を供給することを含み、熱電モジュールに第二の電力量を供給することは熱電モジュールに第二の電流量を供給することを含む。いくつかの実施形態では、熱電モジュールに第一の電力量を供給することは熱電モジュールに第一の電圧量を供給することを含み、熱電モジュールに第二の電力量を供給することは熱電モジュールに第二の電圧量を供給することを含む。
【０００８】
いくつかの実施形態では、熱電モジュールは冷却チャンバの温度を下げるように動作可能であり、第一の電力量及び第二の電力量は、熱電モジュールの高温側の温度、冷却チャンバの外部環境の温度、及び／または、性能指数などの熱電モジュールの電気特性に基づいて決定される。
【０００９】
いくつかの実施形態では、第一の電力量を決定することは冷却チャンバの外部環境の温度に基づいて熱電モジュールの性能係数を最大にする第一の電力量を決定することを含み、１つ以上のシステムパラメータの少なくとも１つが変わったと判断することは冷却チャンバの外部環境の温度が変わったと判断することを含み、第二の電力量を決定することは冷却チャンバの外部環境の温度に基づいて熱電モジュールの性能係数を最大にする第二の電力量を決定することを含む。
【００１０】
いくつかの実施形態では、第一の電力量を決定することは、ルックアップ表を使用して１つ以上のシステムパラメータに基づいて熱電モジュールの性能係数を最大にする第一の電力量を決定することを含み、第二の電力量を決定することはルックアップ表を使用して１つ以上のシステムパラメータに基づき熱電モジュールの性能係数を最大にする第二の電力量を決定することを含む。
【００１１】
いくつかの実施形態では、熱電モジュールに第一の電力量を供給することは熱電モジュールの１つを超えるサブセットのうちの１つのサブセットに第一の電力量を供給することも含み、熱電モジュールに第二の電力量を供給することは熱電モジュールの１つを超えるサブセットのうちの１つのサブセットに第二の電力量を供給することも含む。
【００１２】
いくつかの実施形態では、該方法はまた、熱電モジュールの高温側の温度が第一の閾値を超えていると判断すること、及び１つ以上のシステムパラメータに基づき熱電モジュールの性能係数を最大にする電力量未満の電力量を熱電モジュールに供給することも含む。
【００１３】
いくつかの実施形態では、該方法はまた、熱電モジュールの高温側の温度が第二の閾値未満であることを判断すること、及び１つ以上のシステムパラメータに基づき熱電モジュールの性能係数を最大にする電力量である電力量を熱電モジュールに供給することも含む。
【００１４】
いくつかの実施形態では、熱電冷凍システムは、冷却チャンバ、熱交換器及びコントローラを含む。熱交換器は、低温側ヒートシンク、高温側ヒートシンク及び低温側ヒートシンクと高温側ヒートシンクとの間に配設された熱電モジュールを含む。コントローラは１つ以上のシステムパラメータに基づき熱電モジュールの性能係数を最大にする第一の電力量を決定し、熱電モジュールに該第一の電力量を供給するように構成される。コントローラはまた、１つ以上のシステムパラメータのうちの少なくとも１つが変化したと判断し、１つ以上のシステムパラメータに基づき熱電モジュールの性能係数を最大にする第二の電力量を決定し、熱電モジュールに該第二の電力量を供給するようにも構成される。
【００１５】
いくつかの実施形態では、熱電モジュールを操作するコントローラは１つ以上のシステムパラメータに基づき熱電モジュールの性能係数を最大にする第一の電力量を決定し、熱電モジュールに該第一の電力量を供給し、１つ以上のシステムパラメータの少なくとも１つが変化したと判断し、１つ以上のシステムパラメータに基づき熱電モジュールの性能係数を最大にする第二の電力量を決定し、該第二の電力量を熱電モジュールに供給するように構成される。いくつかの実施形態では、コントローラは、本明細書に開示された任意の方法を実施するように構成される。
【００１６】
いくつかの実施形態では、コンピュータプログラムは、少なくとも１台のプロセッサ上で実行された時に少なくとも１台のプロセッサに本明細書に開示された任意の方法を実行させる指示を含む。いくつかの実施形態では、電子信号、光信号、無線信号またはコンピュータ読取り可能な記憶媒体のうちの１つであるキャリヤが該コンピュータプログラムを含む。
【００１７】
いくつかの実施形態では、熱電モジュールを操作するコントローラは、電力決定モジュール、電力供給モジュール及びシステムパラメータ判断モジュールを含む。電力決定モジュールは、１つ以上のシステムパラメータに基づき熱電モジュールの性能係数を最大にする第一の電力量を決定し、１つ以上のシステムパラメータに基づき熱電モジュールの性能係数を最大にする第二の電力量を決定する働きをする。電力供給モジュールは、第一の電力量を熱電モジュールに供給し、第二の電力量を熱電モジュールに供給する働きをする。システムパラメータ判断モジュールは１つ以上のシステムパラメータの少なくとも１つが変化したと判断する働きをする。
【００１８】
当業者なら、添付の図面と共に以下の好ましい実施形態の詳細な説明を読めば、本開示の範囲を理解し、その追加的な態様を実現するであろう。
【００１９】
本明細書に組み込まれその一部をなす添付の図面は、本開示の数個の態様を示し、明細書の記述と共に本開示の原理を説明する働きをする。
【図面の簡単な説明】
【００２０】
【図１】冷却チャンバと、低温側ヒートシンクと高温側ヒートシンクとの間に配設された少なくとも１つの熱電モジュール（ＴＥＭ）を含む熱交換器と、本開示のいくつかの実施形態によるＴＥＭを制御するコントローラとを有する熱電冷凍システムを示す。
【図２】本開示のいくつかの実施形態による、ＴＥＭの性能係数と様々な周囲温度につきＴＥＭに供給された電力量との関係を示す。
【図３】本開示のいくつかの実施形態による、ＴＥＭの効率を増大させるようにＴＥＭを操作する方法を示す。
【図４】本開示のいくつかの実施形態による、電源が投入された時またはプルダウン動作の際に熱電冷凍システムを操作する方法を示す。
【図５】本開示のいくつかの実施形態による、定常状態動作近傍で熱電冷凍システムを操作する方法を示す
【図６】本開示のいくつかの実施形態による、ＴＥＭの高温側の温度を低下させるようにＴＥＭを操作する方法を示す。
【図７】本開示のいくつかの実施形態による、図６の方法の１つの可能な実装形態を示す。
【図８】本開示のいくつかの実施形態による、モジュールを含むＴＥＭを操作するコントローラ、のダイアグラムである。
【図９】本開示のいくつかの実施形態による、モジュールを含むＴＥＭを操作するコントローラ、の別のダイアグラムである
【発明を実施するための形態】
【００２１】
下記の実施形態は、当業者が実施形態を実行できるようにする必要な情報を提供し、実施形態を実行する最良の方法を示す。当業者なら、添付図面を参照しつつ以下の説明を読めば、開示された概念を理解し本明細書で具体的に取り扱われないこれらの概念の適用を認識するであろう。これらの概念と適用が本開示及び添付の特許請求の範囲内に該当することを理解すべきである。
【００２２】
第一、第二、などの用語が様々な要素を記述するために本明細書で使用される場合があるが、これらの要素はこれらの用語によって制限されるべきではないことは理解されるであろう。これらの用語は一つの要素を他の要素と区別するためだけに使用される。例えば、第一の要素を本開示の範囲から逸脱することなく第二の要素と称することができ、同様に第二の要素を第一の要素と称することができるはずである。用語「及び／または」は、本明細書で使用されるとき、１つ以上の関連するリスト項目の任意及び全ての組み合わせを含む。
【００２３】
本明細書において、「下に」または「上に」、あるいは、「より上の」または「より下の」、あるいは、「水平の」または「垂直の」などの相対的な用語は、図面で示したような一つの要素、層、または領域を他の要素、層、または領域を区別するために使用される場合がある。これらの及び上記で論じた用語は、図面に示された向きに加えてデバイスの異なる向きも包含する意図があることが理解されるであろう。
【００２４】
本明細書で使用される専門用語は、特別な実施形態を説明するためだけに使用されており、本開示を制限する意図はない。本明細書で使用されるとき、単数形「ａ」、「ａｎ」、「ｔｈｅ」は、文脈でそうではないと明示されない場合は複数形も含むことが意図されている。さらに、本明細書で使用されるとき、用語「ｃｏｍｐｒｉｓｅｓ」、「ｃｏｍｐｒｉｓｉｎｇ」、「ｉｎｃｌｕｄｅｓ」、及び／または、「ｉｎｃｌｕｄｉｎｇ」は、述べられた特徴、整数、ステップ、操作、要素、及び／またはコンポーネントの存在を特定するが、他の特徴、整数、ステップ、操作、要素、コンポーネント、及び／または、それらの組み合わせの存在を妨げない。
【００２５】
特に定義されない限り、本明細書で使用されるすべての用語（技術的及び科学的用語を含む）は、本開示が属する技術分野の当業者によって一般に理解されるものと同じ意味である。さらに、本明細書で使用される用語は本明細書及び関連技術分野の文脈でのそれらの意味と一致した意味を有すると解釈すべきであり、本明細書で明示的に定義されない限り、理想化された意味または過度に形式的な意味に解釈されないであろう。
【００２６】
図１は、冷却チャンバ１２、低温側ヒートシンク２０と高温側ヒートシンク１８との間に配設された少なくとも１つの熱電モジュール（ＴＥＭ）２２（本明細書では、単数でＴＥＭ２２、複数でもＴＥＭ２２と称される）を含む熱交換器１４、及び、本開示のいくつかの実施形態によりＴＥＭ２２を制御するコントローラ１６を有した熱電冷凍システム１０を示す。ＴＥＭ２２が冷却を提供するために使用される場合は、しばしば、それは熱電クーラ（ＴＥＣ）２２と呼ばれる場合がある。
【００２７】
ＴＥＭ２２は、好ましくは、薄膜デバイスである。１つ以上のＴＥＭ２２がコントローラ１６により活性化されるとき、活性化されたＴＥＭ２２は、高温側ヒートシンク１８を加熱しかつ低温側ヒートシンク２０を冷却し、それによって、熱伝達を促進して冷却チャンバ１２から採熱する。より具体的には、本開示のいくつかの実施形態によれは、１つ以上のＴＥＭ２２が活性化されるとき、高温側ヒートシンク１８が加熱され、それによりエバポレータが作られ、低温側ヒートシンク２０が冷却されてコンデンサが作られる。
【００２８】
低温側ヒートシンク２０は、コンデンサとして作用して、低温側ヒートシンク２０に結合したアクセプト・ループ２４を介して冷却チャンバ１２からの採熱を促進させる。アクセプト・ループ２４は、熱電冷凍システム１０の内壁２６に熱結合される。内壁２６は冷却チャンバ１２を画定する。一実施形態では、アクセプト・ループ２４は、内壁２６内に一体化されるか、または内壁２６の表面上に直接一体化される。アクセプト・ループ２４は、冷媒（例えば、２相クーラント）がアクセプト・ループ２４を通って流れるかまたは通過することができるようにする任意のタイプの配管で形成される。アクセプト・ループ２４と内壁２６との熱結合により、冷媒はアクセプト・ループ２４を通って流れるときに冷却チャンバ１２から採熱する。アクセプト・ループ２４は、例えば、銅管、プラスチック管、ステンレス鋼管、アルミニウム管などから形成される場合がある。
【００２９】
高温側ヒートシンク１８は、エバポレータとして作用して高温側ヒートシンク１８に結合したリジェクト・ループ２８を介して冷却チャンバ１２の外部環境に対する遮熱を促進する。リジェクト・ループ２８は、熱電冷凍システム１０の外壁３０または外皮に熱結合される。
【００３０】
冷却チャンバ１２から熱を取り除く熱的及び機械的プロセスは、これ以上議論されない。また、図１に示された熱電冷凍システム１０はＴＥＭ２２の使用及び制御の特別な一実施形態に過ぎないことに留意すべきである。本明細書で論じたすべての実施形態は、熱電冷凍システム１０だけでなくＴＥＭ２２の他の任意の用途に適用されることを理解すべきである。
【００３１】
図１に示した実施形態例を用いて続けると、コントローラ１６は冷却チャンバ１２内を所望の設定温度を維持するために動作してＴＥＭ２２を制御する。一般に、コントローラ１６は、ＴＥＭ２２を選択的に活性化／不活性化させ、ＴＥＭ２２に供給される電力量を選択的に制御し、かつ／または、ＴＥＭ２２のデューティ・サイクルを選択的に制御して所望の設定温度に維持するように動作する。さらに、好ましい実施形態では、コントローラ１６は、１つ以上（いくつかの実施形態では２つ以上）のＴＥＭ２２のサブセット（各サブセットは１つ以上の異なるＴＥＭ２２を含む）を別々にまたは独立して制御可能となる。それ故、例えば、４つのＴＥＭ２２がある場合、コントローラ１６は、第一の個別ＴＥＭ２２、第二の個別ＴＥＭ２２、及び、２つ一組のＴＥＭ２２を別個に制御可能となり得る。この方法によれば、コントローラ１６は、例えば、要求の指示のとおりに最大の効率で、１つ、２つ、３つ、または４つのＴＥＭ２２を独立して選択的に活性化させることができる。
【００３２】
熱電冷凍システム１０が唯一の実装形態例ではないこと、並びに、本明細書で開示されたシステム及び方法が他のシステムに同様に適用可能なことに留意すべきである。また、本明細書でコントローラ１６に対して具体的な言及がなされたが、コントローラ１６に帰する任意の機能は他の任意のコントローラまたは機構によって実装できることを理解すべきである。
【００３３】
先に進む前に、冷却能対ＴＥＭ２２に供給される電力量、効率対ＴＥＭ２２に供給される電力量の簡潔な議論が有益となる。この点に関して、図２は、ＴＥＣの冷却能力（Ｑ）及び冷却効率対ＴＥＣの入力電流の関係を示すグラフである。冷却効率は性能係数（ＣＯＰ）でより具体的に表わされる。図２は、本開示のいくつかの実施形態による、ＴＥＭ２２の性能係数（ＣＯＰ）と様々な周囲温度に対してＴＥＭ２２に供給される電力量との間の関係を示す。ＴＥＭ２２に供給される電力量は、ＴＥＭ２２に供給される電流量、及び／または、ＴＥＭ２２に印加される電圧量として表現される場合がある。ＴＥＭ２２に供給される電力量が増加するにつれて、ＴＥＭ２２の冷却能力も増大する。ＴＥＭ２２に対する最大電力量または最大電力量の近傍の電力量は、Ｑｍａｘで表示される。すなわち、ＴＥＭ２２がＱｍａｘで作動している場合は、ＴＥＭ２２は可能な最大熱量を除去する。図２は、ＴＥＭ２２のＣＯＰをＴＥＭ２２に供給される電力量の関数として示す。冷却用途の場合、ＴＥＭ２２のＣＯＰは、熱除去のためにＴＥＭ２２に入力された仕事量を超えて除去された熱の割合である。ＴＥＭ２２のＣＯＰが最大になる熱量または容量（Ｑ）は、ＱＣＯＰｍａｘで表示される。したがって、ＴＥＭ２２の効率またはＣＯＰは、ＴＥＭ２２に供給される電力量がＴＥＭ２２のＣＯＰが最大になるポイントまたはその近傍である場合に最大になる。
【００３４】
ＴＥＭ２２に対するＣＯＰ曲線の形状は、動作環境温度（冷却チャンバ１２の外部環境の温度、または、ＴＥＭ２２が作動している環境の温度）、遮断された熱量、ＴＥＭ２２の低温側温度（しばしば、ＴＥＭ２２が冷却チャンバ１２を冷却するのに動作可能な場合に冷却チャンバ１２の温度とも呼ばれる）、ＴＥＭ２２の高温側温度、ＴＥＭ２２の電気特性（性能指数などの）、及び、ＴＥＭ２２に与えられた電力量、などの変数に応じて変わる。これらのシステムパラメータのうちの１つが変わる場合、ＴＥＭ２２のＣＯＰ曲線は変わり得、それゆえ、１つ以上のシステムパラメータに基づいてＴＥＭ２２のＣＯＰを最大にする電力量も変わり得る。図２はこのことの一例を示す。摂氏１８度（℃）と２５℃の周囲温度でのＴＥＭ２２に対する２つのＣＯＰ曲線が示される。簡単にするために、周囲温度のみが変化する一方で他のシステムパラメータは固定される。この例では、周囲温度が１８℃から２５℃に変化する場合に、ＴＥＭ２２の全体的なＣＯＰは減少する。注目すべきことに、ＴＥＭ２２のＣＯＰを最大にする電力量も増加する。傾向線は、それが周囲温度とＴＥＭ２２のＣＯＰを最大にする電力量との間の関係の線形近似を与えることを示している。この傾向線は単なる一例であり、該関係をモデリングまたは挿入（または外挿）する他の手段も使用できるはずである。
【００３５】
ＴＥＭ２２のＣＯＰを最大にする正確な電力量は変化し得る多くの因子に基づいているので、ＴＥＭ２２のＣＯＰを最大にする電力量を中心とした許容できる電力量の範囲が決定される。この範囲はバンドと呼ばれ、一般的に、このバンド内のどの電力量もＴＥＭ２２のＣＯＰを最大にする電力量であると考えられる。いくつかの実施形態では、バンドはＴＥＭ２２のＣＯＰを最大にする電力量のプラス１０％またはマイナス１０％であるが、この実装形態は特殊であり、ＴＥＭ２２のＣＯＰを最大にする電力量、及び／または、ＣＯＰ曲線の形状の決定精度に応じて変わり得る。
【００３６】
ＴＥＭ２２を操作する最も効率的な方法はＴＥＭ２２のＣＯＰを最大にする電力量を与えることであるので、コントローラ１６またはＴＥＭ２２を制御する他のいくつかの手段は、１つ以上のシステムパラメータに基づきＴＥＭ２２のＣＯＰを最大にする電力量を決定することを追求すべきである。このように、図３は、本発明のいくつかの実施形態による、ＴＥＭ２２を操作してＴＥＭ２２の効率を増大させる方法を示す。コントローラ１６は、１つ以上のシステムパラメータに基づきＴＥＭ２２のＣＯＰを最大にする第一の電力量を決定する（ステップ１００）。上記で論じたように、この決定は多くの異なるパラメータに基づき得る。いくつかの実施形態では、他のパラメータは一定であるかまたは無視できると仮定して、電力量が周囲温度などのただ一つのパラメータに基づき決定される。いくつかの実施形態では、電力量は、ルックアップ表を参照することにより決定され得る。次いで、コントローラ１６は第一の電力量をＴＥＭ２２に供給する（ステップ１０２）。このように、ＴＥＭ２２はシステムパラメータの現在値に対して最も効率的な方法で作動する。
【００３７】
コントローラ１６は、次に、システムパラメータの少なくとも１つが変わったかどうかを判断する（ステップ１０４）。いくつかの実施形態では、その後、チェックが周期的におこなわれ得るが、他の実施形態では、変化の判断がほとんど即時になされ得る。また、コントローラ１６が全ではないシステムパラメータを用いて電力量を決定した場合は、コントローラ１６は、その後、未使用のシステムパラメータの任意のものがいつ変化したかを判断する必要はないであろう。システムパラメータの少なくとも１つが変わったとの判断に応じて、コントローラ１６は、１つ以上のシステムパラメータに基づきＴＥＭ２２のＣＯＰを最大にする第二の電力量を決定する（ステップ１０６）。次いで、コントローラ１６はＴＥＭ２２に第二の電力量を供給する（ステップ１０８）。このようにして、コントローラ１６は、ＴＥＭ２２に供給される電力量を更新してＴＥＭ２２の作動効率を増大させることができる。いくつかの実施形態では、任意選択で手続きがステップ１０４に戻り、システムパラメータの１つ以上が変化している場合は、コントローラ１６はＴＥＭ２２のＣＯＰを最大にする電力量を再度決定する。
【００３８】
いくつかの実施形態では、更新された電力量は、定期的に、またはそうでなければ、システムパラメータの１つ以上が変化したことの明白な判断なしで計算され得ることに留意されたい。また、第二の電力量は、システムパラメータの変化に応じて第一の電力量と同じかほぼ同じであり得る。
【００３９】
図３はＴＥＭ２２の効率を増大させるようにＴＥＭ２２を操作する方法を示す一方、図４及び図５は図１に示された例に関して上記で論じたような１つ以上のＴＥＭ２２を含むことがある熱電冷凍システム１０を操作する方法を示す。具体的には、図４は、本開示のいくつかの実施形態による、電源が入れられた時またはプルダウン動作中の熱電冷凍システム１０を操作する方法を示す。
【００４０】
本明細書で使用されるとき、プルダウン動作は冷却チャンバ１２内の温度が許容温度より高く、コントローラ１６が作動して許容範囲まで温度を下げる状況を指す。冷却チャンバ１２にとって望ましい温度は設定点温度と呼ばれる。定常状態動作は冷却チャンバ１２内の温度が設定点温度を含む範囲内にある状況を指す。この範囲は一種のヒステレシスを提供して動作状態間の急激なふれを回避する。いくつかの実施形態では、設定点温度は４℃でよく、また、定常状態範囲は３℃〜５℃でよい。より高い精度で設定点温度を維持することが望まれる場合は、定常状態範囲がより小さくなる。動作状態間のふれ速度の低下が望まれる場合は、定常状態範囲がより小さくなる。
【００４１】
いくつかの実施形態によれば、図４は熱電冷凍システム１０の電源投入またはリセットから開始される（ステップ２００）。熱電冷凍システム１０は、この電源投入状態またはプルダウン動作中のリセット状態からスタートする。なぜなら、温度が定常状態範囲の上になっており電源が切られているからである。コントローラ１６は、おそらく熱電冷凍システム１０の正面のユーザ・インターフェースまたは装置のグラフィック・ユーザ・インターフェース（ＧＵＩ）から設定点レジスタを読んで設定点温度を決定する（ステップ２０２）。次いで、コントローラ１６は、少なくとも１つのＴＥＭ２２の温度制御及びΔＴを測定する（ステップ２０４）。ＴＥＭ２２のΔＴはＴＥＭ２２の高温側温度とＴＥＭ２２の低温側温度との間の差を指す。コントローラ１６は周囲温度も測定する（ステップ２０６）。コントローラ１６は、実装形態に応じて、他の任意の必要なシステムパラメータも決定することができる。
【００４２】
次いで、いくつかの実施形態によれば、コントローラ１６は少数の安全点検を行なう。コントローラ１６は、周囲温度が４℃以上であるかどうかをチェックする（ステップ２０８）。周囲温度が４℃未満の場合は、手続きがステップ２０４に戻って様々なシステムパラメータを再度測定する。周囲温度が少なくとも４℃の場合は、コントローラ１６は、次に熱交換機の温度が最大限界以上かどうかを判断する（ステップ２１０）。
【００４３】
いくつかの実施形態では、この温度は、ＴＥＭ２２の高温側温度と同じである。また、いくつかの実施形態では、単一の最大値を有する代わりに、温度が第一閾値の上にあるかどうかのテストがあり、次いで、ＴＥＭ２２の高温側温度が低くなると、温度が第二閾値の下にあるかどうかのテストがある。このようにして、ヒステレシスを任意選択で過熱条件に組み込むことができる。
【００４４】
いくつかの実施形態では、第一閾値は、ＴＥＭ２２の高温側が飽和状態であり、追加の熱を受け入れることができないことを示す。また、第一閾値は、第一閾値の上の温度で操作されることによってＴＥＭ２２が損傷する場合があることも示すかもしれない。このような高温は、冷却チャンバ１２から大量の熱が取り除かれる場合、またはＴＥＭ２２が低効率で操作されている場合に生じるかもしれない。ＴＥＭ２２の高温側での蓄熱は、熱交換器の遮熱側が、熱が発生する速度より速い速度で熱を除去するのに不十分な場合にも生じ得る。この状況は、ＴＥＭ２２の高温側が受け身で冷却される場合に生じ得る。
【００４５】
過熱条件が検出された場合は、コントローラ１６はアラームを設定する（ステップ２１２）。このアラームは実施形態に応じて多くの形態をとることができる。いくつかの場合では、アラームは単なる内部状態であり、他方、他の場合では、情報がディスプレイ上に提示されてよく、または、その他の方法でユーザがアラームを知らされてもよい。次いで、コントローラ１６は、ＴＥＭ２２への出力が可能であるかどうかを判断する（ステップ２１４）。出力が可能でない場合は、コントローラ１６は、ＴＥＭ２２の操作によって熱が加えられないので、ＴＥＭ２２の高温側の温度を下げるどんな方法も有し得ない。この場合、手続きがステップ２０４に戻って様々なシステムパラメータを再度測定する。他の実施形態では、コントローラ１６は、ファンなどの能動的な装置を使用することなどによってＴＥＭ２２の高温側の温度を下げる追加の選択肢を有し得る。
【００４６】
出力が可能である場合は、コントローラ１６はＴＥＭ２２に供給されている電力量が最小の電力レベルかどうかを判断する（ステップ２１６）。それが最小の電力レベルでない場合は、コントローラ１６は出力を下げることによってＴＥＭ２２に供給される電力量を低下させる（ステップ２１８）。供給された現在の電力量が最少の電力レベルである場合は、コントローラ１６は出力の電源を切ってリセットを発令する（ステップ２２０）。どちらの方法でも手続きがステップ２０４に戻って様々なシステムパラメータを再度測定する。
【００４７】
ＴＥＭ２２の高温側が過熱されない場合は、コントローラ１６は設定され得るいかなるアラームも解除する（ステップ２２２）。例えば、アラームが現在は解決した過熱状況の理由で以前に設定されていた場合は、アラームはすぐに解除されるであろう。コントローラ１６は、すぐに、冷却チャンバ１２の温度が安定状態の上限より大きいかどうかを判断する（ステップ２２４）。温度が安定状態の上限より上の場合は、熱電冷凍システム１０は運転のプルダウン・モードにあると考えられる。
【００４８】
冷却チャンバ１２の温度が上側管理限界以上であると判断された場合は（ステップ２２６）、コントローラ１６は出力を１００％に設定し、ＴＥＭ２２に対する最大電力量またはその近傍の電力量をＴＥＭ２２に与える（ステップ２２８）。いくつかの実施形態によれば、かかる方法により、熱電冷凍システム１０は最速の速さで冷却チャンバ１２の温度をプルダウンすることができる。冷却チャンバ１２の温度が上側管理限界未満であると判断された場合は、コントローラ１６は出力を比例モードに設定する（ステップ２３０）。比例モードでは、冷却チャンバ１２の温度をより緩やかにより効率的なやり方で減少させることができる。どちらの方法でも手続きがステップ２０４に戻って様々なシステムパラメータを再度測定する。
【００４９】
コントローラ１６が、冷却チャンバ１２の温度が定常状態の上限値未満であると判断する場合は、コントローラ１６は出力が可能になるかどうかを判断する（ステップ２３２）。出力が可能にならない場合は、手続きがステップ２０４に戻って様々なシステムパラメータを再度測定する。出力が可能になる場合は、熱電冷凍システム１０は定常状態モードで動作していると考えられる。また、手続きは、本開示のいくつかの実施形態による、熱電冷凍システム１０を定常状態動作の近傍で操作する方法を示す図５に続く。
【００５０】
図５に示すように、コントローラ１６は少なくとも１つのＴＥＭ２２の温度制御及びΔＴを測定する（ステップ３００）。コントローラ１６は、実装形態に応じて、周囲温度などの他の必要な任意のシステムパラメータも決定する。再度、コントローラ１６は、熱交換器の温度が最大値以上であるかどうかを判断する（ステップ３０２）。ＴＥＭ２２に供給される電力量が最小の電力レベルでない場合は（ステップ３０４）、コントローラ１６は出力を下げることによってＴＥＭ２２に供給される電力量を低下させる（ステップ３０６）。供給された現在の電力量が最少の電力レベルである場合は、コントローラ１６は出力の電源を切ってリセットを発令する（ステップ３０８）。どちらの方法でも手続きがステップ３００に戻って様々なシステムパラメータを再度測定する。
【００５１】
ＴＥＭ２２の高温側が過熱されない場合は、コントローラ１６は冷却チャンバ１２の温度が設定点温度より高いかどうかをチェックする（ステップ３１０）。冷却チャンバ１２の温度が設定点温度未満である場合は、コントローラ１６は、すぐに、冷却チャンバ１２の温度が定常状態限界以下かどうか、出力の電源が投入されているかどうか、ΔＴが現在のバンド内かどうかを判断する（ステップ３１２）。これらがすべて真実の場合は、コントローラ１６はＴＥＭ２２の電源を切り、出力を０．ｘボルトに低下させ、この値を新たな定常状態出力値内に格納し、以前の値を旧定常状態出力値内に格納する（ステップ３１４）。これらの条件のすべてが真実でない場合は、手続きがステップ３０４に戻ってＴＥＭ２２に与えられる電力量を低下させようと試みる。
【００５２】
冷却チャンバ１２の温度が設定点温度より高い場合は、コントローラ１６は冷却チャンバ１２の温度がまた定常状態限界以上であるかどうかを判断する（ステップ３１６）。チャンバ温度が定常状態限界未満である場合は、コントローラはタイマー間隔が設定されたかどうかを判断する（ステップ３１８）。それが設定されていた場合は、コントローラ１６は出力を旧定常状態出力に設定する（ステップ３２０）。この後、または、出力が設定されていない場合は、手続きがステップ３００に戻って様々なシステムパラメータを再度測定する。
【００５３】
冷却チャンバ１２の温度が定常状態限界値以上である場合は、コントローラ１６はチャンバの温度が管理限界上限値以上であるかどうかを判断する（ステップ３２２）。チャンバが管理限界上限値以上である場合は、コントローラ１６は出力を１００％に設定し、ＴＥＭ２２に対する最大電力量またはその近傍の電力量をＴＥＭ２２に供給する（ステップ３２４）。これは、熱電冷凍システム１０が動作のプルダウン・モードにあると考えられることを示し、手続きが図４のステップ２０４に戻って様々なシステムパラメータを再度測定する。
【００５４】
チャンバが管理限界上限未満にある場合は、コントローラ１６は冷却チャンバ１２の温度がヒステリシス値以上であるかどうかを判断する（ステップ３２６）。チャンバがそうでない場合は、コントローラ１６は出力を新たな定常状態出力値に増大させ（ステップ３２８）、手続きがステップ３００に戻り様々なシステムパラメータを再度測定する。いくつかの実施形態によれば、この新たな定常状態出力値は、１つ以上のシステムパラメータに基づきＴＥＭ２２のＣＯＰを最大にする電力量でよい。冷却チャンバ１２の温度がヒステリシス値以上である場合は、これは熱電冷凍システム１０が動作のプルダウン・モードにあると考えられることを再度示し、手続きが図４のステップ２０４に戻り様々なシステムパラメータを再度測定する。
【００５５】
上記で論じたように、ＴＥＭ２２または熱交換器の過熱は望まない動作を生じさせるかまたはＴＥＭ２２に対して危険な場合がある。そのため、図４のステップ２１０と図５のステップ３０２の両ステップはかかる過熱条件をチェックする。図４及び図５は、電力を低下させること及びＴＥＭ２２の電源を切ることによってＴＥＭ２２の温度を低下させることを試みているが、いくつかの状況では、これは望ましくないかまたは非効率な場合がある。そのため、図６は、本開示のいくつかの実施形態による、ＴＥＭ２２の高温側温度を低下させるようにＴＥＭ２２を操作する方法を示す。
【００５６】
コントローラ１６は、先ず、ＴＥＭ２２に第一の電力量を供給する（ステップ４００）。コントローラ１６は、その後、ＴＥＭ２２の高温側温度が第一閾値の上にあるかどうかを判断する（ステップ４０２）。先に論じたように、いくつかの実施形態では、第一閾値は、ＴＥＭ２２の高温側が飽和されて追加の熱を受け入れることができないことを示す。また、第一閾値は、第一閾値より上の温度で操作されることによってＴＥＭ２２が損傷する場合があることを示すかもしれない。温度が第一閾値より上でない場合は、コントローラ１６は、過熱することを含まない他の任意の制御方式によって、第一の電力量を供給し続けるかまたは操作し続ける。ＴＥＭ２２の高温側温度が第一閾値より上の場合は、コントローラ１６は、第一の電力量未満の第二の電力量をＴＥＭ２２に供給する（ステップ４０４）。いくつかの実施形態では、この低下した電力によって、ＴＥＭ２２を操作し続けながらＴＥＭ２２の高温側温度を低下させることができる。
【００５７】
いくつかの実施形態では、その後、コントローラ１６は、ＴＥＭ２２の高温側の温度が第二閾値未満かどうかを判断する（ステップ４０６）。これは、ＴＥＭ２２が十分に冷えておりもはや飽和されないことを示す。いくつかの実施形態では、コントローラ１６は、その後、第一の電力量と同じでよいが必ずしも同じではない第三の電力量をＴＥＭ２２に供給する。図６は、手続きがステップ４００に戻り第一の電力量を再度供給する実施形態を示す。ＴＥＭ２２に供給する電力を増大させることによって追加の熱を伝達させることができる。
【００５８】
いくつかの実施形態では、ＴＥＭ２２に供給される第一の電力量は、ＴＥＭ２２にとっての最大電力量またはその近傍である。これはおそらく熱電冷凍システム１０が設定点温度に到達するために熱をできるだけ速く除去しようとしている時の動作のプルダウン・モードにおける場合である。いくつかの実施形態では、ＴＥＭ２２に供給される第一の電力量は、ＴＥＭ２２のＣＯＰが最大になるポイントまたはそのポイントの近傍にある。これはおそらく熱電冷凍システム１０が熱を最も効率的に除去しようとしている時の動作の定常状態モードにおける場合である。
【００５９】
いくつかの実施形態では、ＴＥＭ２２に供給される第二の電力量は、ＴＥＭ２２のＣＯＰが最大にされるポイントまたはそのポイントの近傍にある。いくつかの実施形態では、ＴＥＭ２２に供給される第二の電力量は少なくとも冷却チャンバ１２の温度が上昇しないような電力量である。先に論じたように、いくつかの実施形態では、特にＴＥＭ２２の高温側が受け身で冷却される場合に、これはＴＥＭ２２の熱遮熱限界を緩和する。
【００６０】
図７は、本開示のいくつかの実施形態による図６の方法の１つの可能な実装形態を示す。図７は３本の線を含む。上部は、ＴＥＭ２２の遮熱側（高温側）の温度をプロットする。下の線は、ＴＥＭ２２の低温側の温度をプロットする。中央の線は、ＴＥＭ２２に電圧が印加された時にＴＥＭ２２に供給される電力をプロットする。プロットの初期には、ＴＥＭ２２の高温側の温度と低温側の温度は近似している。このことは、熱電冷凍システム１０の電源が投入されたばかりであるか、または、十分に長期間開いたままにされるなどの他のいくつかの理由で熱電冷凍システム１０がプルダウン・モードにあることを示す場合がある。
【００６１】
最初に、コントローラ１６はＴＥＭ２２に第一の電圧を印加する。この例では、ＴＥＭ２２の高温側温度が増大し、一方、ＴＥＭ２２の低温側温度が低下する。この例では、ＴＥＭ２２の高温側温度の第一閾値は５０℃である。コントローラ１６がＴＥＭ２２の高温側温度が５０℃に到達したと判断した場合は、コントローラ１６は電力を低下させ、第一の量未満の第二の電力量をＴＥＭ２２に供給する。このために、ＴＥＭ２２の高温側に送り出される熱がより少なくなり高温側が冷え始める。また、ＴＥＭ２２の低温側温度の低下が緩やかになり、あるいは、僅かに上昇する場合さえある。この電力量は、コントローラ１６がＴＥＭ２２の高温側温度が十分に冷えたと判断するまでＴＥＭ２２に供給される。
【００６２】
コントローラ１６がＴＥＭ２２の高温側温度が第二の閾値未満であると判断した場合は、コントローラ１６はＴＥＭ２２の第一の電力量を再度供給する。これによって、ＴＥＭ２２の高温側が再度過熱されるが、ＴＥＭ２２の低温側は今やＴＥＭ２２の高温側が最後に飽和した時の温度より冷えている。コントローラ１６は２つの電力量間を移動するこのアクションを継続してＴＥＭ２２の遮熱限界を緩和しつつ冷却チャンバ１２の温度を迅速にプルダウンさせることができる。これは、ＴＥＭ２２の高温側が受け身で冷却される場合に特に役立つことができる。この例では、ただ２つの異なる電力量を示しているが、本方法はそれに限定されない。いくつかの実施形態では、より大きな電力量またはより小さな電力量のどちらか一方がＴＥＭ２２のＣＯＰが最大になるポイントまたはそのポイント近傍になり得、この値はシステムパラメータに基づいて毎回再計算され得る。
【００６３】
換言すれば、これが熱サイホン・ベースのシステムである場合は、低温側温度は絶縁されたチャンバ（例えば、冷却チャンバ１２）に結び付けられる。高温側の熱放散が飽和し低温側温度のさらなる低下が失速するポイントで、ＴＥＭ２２への電力は、低温側温度のいかなる上昇も緩和するが高温側温度を低下させ得るレベルに戻される。これによって、低温側の絶縁及び高温側に勝る向上した熱安定性が引き出される。電力は、高温側温度がより多くの遮熱を可能にすることができるポイントまで低下するまで低く保たれる。このポイントに到達した場合は、ＴＥＭ２２の電力は増大され、高温側または熱放散は再度飽和に向かって増大する。しかし、高温側温度がより低いポイントで始まっているので、この時間中低温側温度は低下する。この電力と温度のサイクルを何回も繰り返して極めて僅かな送り出し効果を生み出して高温側の周りの自然対流を増大させ、その結果、全体の熱のより多くが放散可能になり、低温側がその設定点温度を下げることができるようになる。
【００６４】
図８は、本開示のいくつかの実施形態による、電力決定モジュール３２、電力供給モジュール３４、及びシステムパラメータ判断モジュール３６を含むＴＥＭ２２を操作するコントローラ１６のダイアグラムである。電力決定モジュール３２、電力供給モジュール３４、及びシステムパラメータ判断モジュール３６はそれぞれ、コントローラ１６のプロセッサによって実行された時、本明細書に記載された実施形態のうちの１つによりコントローラ１６を動作させるソフトウェア内に実装される。
【００６５】
図９は、本開示のいくつかの実施形態による、電力供給モジュール３８及び温度決定モジュール４０を含むＴＥＭ２２を操作するコントローラ１６の別のダイアグラムである。電力供給モジュール３８及び温度決定モジュール４０はそれぞれ、コントローラ１６のプロセッサによって実行された時、本明細書に記載された実施形態のうちの１つによりコントローラ１６を作動させるソフトウェア内に実装される。
【００６６】
当業者なら、本開示の好ましい実施形態への改良及び修正を認識するであろう。かかる改良及び修正の全ては本明細書及びそれに続く特許請求の範囲の概念の範疇にあると考えられる。
【図１】
0006644762.tif 000002
【図２】
0006644762.tif 000003
【図３】
0006644762.tif 000004
【図４】
0006644762.tif 000005
【図５】
0006644762.tif 000006
【図６】
0006644762.tif 000007
【図７】
0006644762.tif 000008
【図８】
0006644762.tif 000009
【図９】
0006644762.tif 000010